(57)【要約】 【課題】  簡単な構成で、他の受信装置が出力する情報に基づいて、出力する情報を制御可能な受信装置および方法を提供する。【解決手段】  制御部２によって、受信される受信信号を変更するように受信部４が制御され、データ比較部２０によって受信信号と取得信号との比較結果が略同一の場合、略同一の受信信号に基づく番組を、いわば自動的に出力するように表示部８および音声再生部９が制御されるので、たとえば他の受信装置３などが出力している番組に基づく取得信号を取得し、他の受信装置３が出力している番組と略同一の番組を本発明の受信装置１に出力させることができ、本発明の効果を達成するために、何ら特別な通信手段を用いることなく、ソフト的な構成を変更するだけで実現することができる。【選択図】      図１
2007068042.tif 000002
【特許請求の範囲】
【請求項１】
放送信号を受信する受信手段と、
チャンネルを切り換えて、放送信号から各チャンネルに対応する番組情報を抽出する番組抽出手段と、
外部の環境情報を取得する情報取得手段と、
抽出された番組情報と、取得された環境情報を比較して、チャンネルの同一性を得る比較手段と、
同一性が得られたチャンネルの番組情報を出力する出力手段を備えたことを特徴とする受信装置。
【請求項２】
比較手段によって同一性の得られたチャンネルがマルチ編成の場合、
出力手段は、同一チャンネル内の別の番組情報を出力することを特徴とする請求項１に記載の受信装置。
【請求項３】
番組情報を録画する録画手段をさらに備え、
録画手段は、比較手段によって同一性が得られたチャンネルの番組情報を録画することを特徴とする請求項１または２に記載の受信装置。
【請求項４】
比較手段は、環境情報と番組情報とのいずれか一方の時間を予め定める時間ずらして、環境情報と番組情報とを比較することを特徴とする請求項１〜３のいずれか１つに記載の受信装置。
【請求項５】
出力手段は、音声を出力する手段であり、
情報取得手段は、音声を取得する手段であり、
出力手段は、比較手段によって比較しているとき、音声の出力を停止することを特徴とする請求項１〜４のいずれか１つに記載の受信装置。
【請求項６】
比較手段による比較結果に基づく履歴情報を記憶する記憶手段をさらに備えたことを特徴とする請求項１〜５のいずれか１つに記載の受信装置。
【請求項７】
比較手段は、履歴情報に基づいて、比較する番組情報の順位を決定することを特徴とする請求項６に記載の受信装置。
【請求項８】
比較手段は、履歴情報に基づいて、環境情報と番組情報とのいずれか一方の時間をずらして比較することを特徴とする請求項６に記載の受信装置。
【請求項９】
比較手段は、定期的に環境情報と番組情報とを比較することを特徴とする請求項１に記載の受信装置。
【請求項１０】
履歴情報は、着脱自在な記憶媒体に記憶されることを特徴とする請求項６に記載の受信装置。
【請求項１１】
情報取得手段は、特定の音声周波数の音声を取得することを特徴とする請求項５に記載の受信装置。
【請求項１２】
放送信号を受信する受信工程と、
チャンネルを切り換えて、放送信号から各チャンネルに対応する番組情報を抽出する抽出工程と、
外部の環境情報を取得する情報取得工程と、
抽出された番組情報と、取得された環境情報を比較して、チャンネルの同一性を得る比較工程と、
比較工程による比較結果にて同一性が得られたチャンネルの番組情報を出力する出力工程とを備えたことを特徴とする受信方法。
【発明の詳細な説明】
【技術分野】
【０００１】
本発明は、放送局から送信される放送情報を出力する受信装置および方法に関する。
本発明において、用語「略同一」は、同一を含む。
【背景技術】
【０００２】
第１の従来の技術として、サーバがパーソナルコンピュータ（Personal Computer略称：ＰＣ）から送信される音声情報に基づいて、音声情報に基づく番組を特定する技術が提案されている。ＰＣは、テレビから出力される音声を取得し、ＰＣが取得した音声をサーバに送信する。サーバは、ＰＣから送信される音声情報に基づいて、テレビの番組を特定し、特定した番組に関連する情報をパソコンに送信する。これによってユーザは、サーバからの情報によって、番組に関連する情報を取得することができる（たとえば特許文献１参照）。
【０００３】
第２の従来の技術として、同時刻に同一の放送局から、複数の番組が送信されているとき、その放送局から送信されている番組を同時に表示する受信装置が提案されている。したがってユーザは、同一の放送局から送信される番組を同時に視聴することができる（たとえば特許文献２参照）。
【０００４】
第３の従来の技術として、チューナを備える据え置きテレビと、チューナを備えない携帯型テレビとを有する受信システムが提案されている。チューナを備える据え置きテレビは、放送局からの番組を受信して表示し、受信した番組を携帯型テレビに送信可能に構成され、携帯型テレビは、据え置きテレビからの情報を受信可能して表示可能に構成される。したがってユーザは、据え置きテレビを視聴しながら、携帯型テレビを用いて、据え置きテレビが出力している番組に関連する情報を取得することができる（たとえば特許文献３および特許文献４参照）。
【０００５】
【特許文献１】特開２００４−２１３５７０号公報
【特許文献２】特開２０００−１１５６５８号公報
【特許文献３】特開平１１−２４３５１２号公報
【特許文献４】特開２００３−２４４５７０号公報
【発明の開示】
【発明が解決しようとする課題】
【０００６】
前述の第１の従来の技術では、テレビからの音声を取得して、音声情報に基づく番組を特定する技術が提案されているが、番組を特定するために、一度サーバに音声情報を送信する必要があり、番組を特定するまでに時間がかかるという問題がある。また、インターネットに接続可能な装置が必要であり、実現するために設備コストがかかるという問題がある。
【０００７】
前述の第２の従来の技術では、１つの受信装置を用いて複数の番組を出力する構成であるので、出力する番組が多くなるほど出力する番組が認識することが困難になるという問題がある。
【０００８】
前述の第３の従来の技術では、据え置きテレビから携帯型テレビへ番組を送信可能に構成されるが、据え置きテレビには情報を送信する手段が必要であり、携帯型テレビでは据え置きテレビからの情報を受信する手段が必要であり、構成が複雑である。
【０００９】
したがって本発明の目的は、簡単な構成で、他の受信装置が出力する情報に基づいて、出力する情報を制御可能な受信装置および方法を提供することである。
【課題を解決するための手段】
【００１０】
本発明は、放送信号を受信する受信手段と、
チャンネルを切り換えて、放送信号から各チャンネルに対応する番組情報を抽出する番組抽出手段と、
外部の環境情報を取得する情報取得手段と、
抽出された番組情報と、取得された環境情報を比較して、チャンネルの同一性を得る比較手段と、
同一性が得られたチャンネルの番組情報を出力する出力手段を備えたことを特徴とする受信装置である。
【００１１】
また本発明は、比較手段によって同一性の得られたチャンネルがマルチ編成の場合、
出力手段は、同一チャンネル内の別の番組情報を出力することを特徴とする。
【００１２】
さらに本発明は、番組情報を録画する録画手段をさらに備え、
録画手段は、比較手段によって同一性が得られたチャンネルの番組情報を録画することを特徴とする。
【００１３】
さらに本発明は、比較手段は、環境情報と番組情報とのいずれか一方の時間を予め定める時間ずらして、環境情報と番組情報とを比較することを特徴とする。
【００１４】
さらに本発明は、出力手段は、音声を出力する手段であり、
情報取得手段は、音声を取得する手段であり、
出力手段は、比較手段によって比較しているとき、音声の出力を停止することを特徴とする。
【００１５】
さらに本発明は、比較手段による比較結果に基づく履歴情報を記憶する記憶手段をさらに備えたことを特徴とする。
【００１６】
さらに本発明は、比較手段は、履歴情報に基づいて、比較する番組情報の順位を決定することを特徴とする。
【００１７】
さらに本発明は、比較手段は、履歴情報に基づいて、環境情報と番組情報とのいずれか一方の時間をずらして比較することを特徴とする。
【００１８】
さらに本発明は、比較手段は、定期的に環境情報と番組情報とを比較することを特徴とする。
【００１９】
さらに本発明は、履歴情報は、着脱自在な記憶媒体に記憶されることを特徴とする。
さらに本発明は、情報取得手段は、特定の音声周波数の音声を取得することを特徴とする。
【００２０】
さらに本発明は、放送信号を受信する受信工程と、
チャンネルを切り換えて、放送信号から各チャンネルに対応する番組情報を抽出する抽出工程と、
外部の環境情報を取得する情報取得工程と、
抽出された番組情報と、取得された環境情報を比較して、チャンネルの同一性を得る比較工程と、
比較工程による比較結果にて同一性が得られたチャンネルの番組情報を出力する出力工程とを備えたことを特徴とする受信方法である。
【発明の効果】
【００２１】
本発明によれば、番組抽出手段によってチャンネルを切り換えて、放送信号から各チャンネルに対応する番組情報が抽出され、比較手段によって各番組情報と環境情報との同一性が得られた番組情報が出力手段によって出力される。したがって環境情報と同一性が得られるチャンネルの番組情報がある場合、そのチャンネルの番組情報が出力手段によって、いわば自動的に出力される。これによって操作者は、受信装置が取得可能な環境情報を調節することによって、受信装置が出力する番組情報を操作することができる。また本発明の受信装置は、情報取得手段を備えるだけで、たとえば他の受信装置などが出力している番組に基づく環境情報を取得し、他の受信装置が出力している番組情報と同一性が得られた番組情報を本発明の受信装置に出力させることができる。したがって、本発明の効果を達成するために、何ら特別な通信手段を用いること無く、ソフト的な構成を変更するだけで実現することができる。これによって本発明を低コストで実現することができる。
【００２２】
また本発明によれば、比較手段によって同一性が得られたチャンネルがマルチ編成の場合、同一チャンネル内の別の番組情報が出力手段によって出力される。したがって出力手段は、環境情報と同一性が得られる番組情報がマルチ編成されている場合、同一チャンネル内の別の番組情報を、いわば自動的に出力する。これによって操作者は、受信装置が出力する番組情報がマルチ編成番組であっても、環境情報によって自動的に出力手段が出力する番組情報を変更させることができ、利便性が向上する。
【００２３】
さらに本発明によれば、比較手段は、同一性が得られたチャンネルの番組情報を録画するように録画手段を制御する。したがって録画手段は、いわば自動的に、環境情報と同一性が得られる番組情報を録画するように制御される。これによって操作者は、何ら特別な操作をすることなく、受信装置に環境情報と同一性が得られる番組情報を録画させることができ、利便性が向上する。
【００２４】
さらに本発明によれば、比較手段は、環境情報と番組情報とのいずれか一方の時間を予め定める時間ずらして、環境情報と番組情報とを比較する。環境情報と番組情報とに時間のずれが生じることがあるが、時間をずらして比較することによって、時間がずれている環境情報と番組情報とであっても、同一性を得られるか否かを判断することができる。これによって比較手段は、より高精度に環境情報と番組情報とを比較することができる。
【００２５】
さらに本発明によれば、比較手段によって比較しているとき、出力手段は音声の出力を停止するように制御されるので、出力手段によって出力される音声がノイズとなって、情報取得手段に取得されることを防ぐことができる。したがって比較手段は、出力手段から出力される音声を確実に停止した状態で、比較することができ比較精度を向上することができる。
【００２６】
さらに本発明によれば、記憶手段は、比較手段による比較結果に基づく履歴情報を記憶する。したがって受信装置の各部を制御する制御手段は、履歴情報に基づいて、各構成要素を制御することができる。これによって前記制御手段は、履歴情報に基づいて、過去の制御状態から好適な制御状態を再現することができる。したがって前記制御手段は、無駄な処理をすることなく、円滑にかつ迅速に処理することができ、処理時間の短縮を図ることができる。
【００２７】
さらに本発明によれば、比較手段は、履歴情報に基づいて、比較する番組情報の順位を決定する。履歴情報に記憶される過去の比較した順位に基づいて、比較する順位を決定することによって、短時間で同一性が得られるチャンネルの番組情報を検索することができる。これによってより短時間で、同一性が得られる番組情報を出力手段に出力させることができる。
【００２８】
さらに本発明によれば、比較手段は、履歴情報に基づいて、環境情報と番組情報とのいずれか一方の時間をずらす時間を決定する。過去に比較した環境と同様の環境に受信装置が配置されている場合、環境情報と番組情報との時間のずれは過去に比較した場合と略等しい可能性が大きいので、履歴情報に基づいて、ずらす時間を決定することによって、より短時間で同一性が得られる番組情報を検索して、検索した番組情報を出力手段に出力させることができる。
【００２９】
さらに本発明によれば、比較手段は、定期的に環境情報と番組情報とを比較する。出力手段は、比較手段による定期的な比較結果によって、環境情報と番組情報とが異なる場合に、抽出される番組情報を変更し、番組情報と環境情報とが同一性が得られる場合、同一性が得られるチャンネルの番組情報を出力する。これによって定期的に、環境情報と番組情報とが同一性が得られるように、出力手段が制御される。したがって環境情報が変化した場合であっても、いわば自動的に変更後の環境情報と同一性が得られる番組情報を、出力手段に出力させることができる。したがって操作者は、何ら操作することなく、いわば自動的に、環境情報に追従して、同一性が得られる番組情報を出力手段に出力させることができる。
【００３０】
さらに本発明によれば、履歴情報は、着脱自在な記憶媒体に記憶されるので、操作者は、本発明の受信装置の履歴情報を他の装置に利用することができる。これによって他の装置でも、受信装置の履歴情報に基づいて、好適に動作させることができる。
【００３１】
さらに本発明によれば、情報取得手段は、特定の音声周波数の音声を取得するので、環境情報とは関連のない肉声などの音声を取り除いた音声情報を取得することができる。したがって情報取得手段は、可及的に環境情報だけを取得することができるので、比較手段の比較精度を向上することができる。
【００３２】
さらに本発明によれば、比較工程による比較結果にて同一性が得られたチャンネルの番組情報を出力するので、環境情報と同一性を得られたチャンネルの番組情報を、いわば自動的に出力させることができる。これによって操作者は、環境情報を制御することによって、出力する番組情報を遠隔操作することができる。
【発明を実施するための最良の形態】
【００３３】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。各フローチャートの開始条件は、記載した開始条件だけに必ずしも限定されるものではない。以下の説明は、受信方法の説明をも含む。
【００３４】
図１は、本発明の実施の一形態の受信装置１の電気的構成を示すブロック図である。図１では、理解を容易にするため、受信装置１が備える制御部２からの信号線を破線で示し、他の信号線を実線で示す。受信装置１は、放送局から送信される放送信号を受信し、前記放送信号からチャンネル毎の番組情報（以下、「番組」ということがある）を抽出して、抽出した番組情報を出力可能であり、他の受信装置３（図３参照）が出力した情報に基づいて、出力する番組情報を変更可能である。受信装置１は、本実施の形態ではデジタル放送受信装置によって実現され、放送局から送信される放送信号であるデジタル放送波を受信可能に構成されている。前記デジタル放送波は、たとえば地上波デジタル放送および衛星デジタル放送波の少なくともいずれか一方を含む。受信装置１は、受信部４、設定記憶部５、録画データ蓄積部６、指示入力部７、表示部８、音声再生部９、受信信号蓄積部１０、取得信号蓄積部１１、番組案内情報蓄積部１３、メモリカード接続部１４、データ比較部２０および制御部２を含んで構成される。
【００３５】
デジタル放送では、たとえば複数のテレビジョンの映像および音声などの放送信号が、１つの信号にまとめられて送信される。信号を送信するときには、ＭＰＥＧ（Moving
Picture Experts Group）によって国際的に策定されているカラー動画像圧縮技術のうち、ＭＰＥＧ２と呼ばれる画像圧縮技術が用いられる。ＭＰＥＧ２では、符号化された映像および音声などをパケット化し、伝送に適した固定長のＴＳ（Transport Stream）信号の形式で、１つの信号として送信する。ＴＳ信号は、サービス情報およびプログラム仕様情報などの番組の内容に関する情報を含む番組情報と、その番組を構成しているデータとの関係を示すテーブル情報を含む。番組情報を構成しているデータは、テレビジョン放送用の映像、テレビジョン放送用の音声、およびデータ放送用のデータを含む。
【００３６】
デジタルテレビ放送ではハイビジョン１チャンネル分で標準テレビ様式の番組を最大で３チャンネル分放送することができる。換言すると、デジタル放送では、放送局１局あたりに最大標準テレビの放送では３チャンネル分を放送することが可能であり、これをマルチ放送という。マルチ放送では、最大３チャンネル分の放送ができるので、最大３つの番組を並行で放送することが可能である。したがってこのようなマルチ放送に基づくデジタル放送波を受信することによって、１つの放送局であっても、複数のチャンネルから番組を選択して出力することができる。たとえばハイビジョン番組の代わりに２または３番組を同時に放送するサービスによって、１つの放送局で、たとえば番組Ａ、番組Ｂおよび番組Ｃを標準テレビ様式で同時に放送することができる。本実施の形態では、マルチ放送される番組を受信する際、１つの放送局がマルチ放送される番組毎にチャンネル番号を持つ場合について説明する。もちろん、本発明はこれに限られたものではなく、１つの放送局が１つのチャンネル番号をもち、視聴者がチャンネル番号指定とサブチャンネル指定を行うことによりマルチ放送される番組を選択する受信装置においても、同様に本発明を適応することができる。
【００３７】
受信部４は、受信手段であって、放送局から送信されるデジタル放送波を受信し、受信した情報を各部に与える。受信部４は、アンテナ１５、チューナ１６および復号処理部１７を備える。アンテナ１５は、放送衛星、通信衛星および地上アンテナのうちの少なくともいずれか一つから送信されるデジタル放送波を捕捉する。アンテナ１５は、受信したデジタル放送波に基づく情報をチューナ１６に与える。
【００３８】
チューナ１６は、アンテナ１５が捕捉した複数のデジタル放送波から１つのチャンネルのデジタル放送波を選択して受信し、受信したデジタル放送波を復号処理部１７に与える。復号処理部１７は、番組抽出手段としての機能を有し、デジタル放送される各番組の映像データおよび音声データをそれぞれ抽出し、抽出した映像データおよび音声データによって、映像と音声とを同期させる。
【００３９】
復号処理部１７は、選択したチャンネルのデジタル放送波を復調して、ＴＳ信号に多重化されている映像および音声などの情報を抽出する。さらに復号処理部１７は、音声デコードとしての機能を有し、ＴＳ信号から抽出された音声データを含む信号を複合化して音声信号を生成し、生成した音声信号を音声再生部９に与える。また復号処理部１７は、映像デコードとしての機能を有し、ＴＳ信号から抽出される映像データを含む信号を複合化して映像信号を生成し、生成した映像信号を表示部８に与える。
【００４０】
音声再生部９は、出力手段としての機能を有し、復号処理部１７によって生成される音声信号を音声に変換し、変換した音声を出力する機能を有し、たとえばスピーカによって実現される。表示部８は、出力手段としての機能を有し、復号処理部１７によって生成される映像信号に基づいて映像を表示する機能を有し、たとえばパネルディスプレイによって実現される。
【００４１】
受信信号蓄積部１０は、復号処理部１７から与えられる音声信号および映像信号を記憶する。受信信号蓄積部１０は、音声信号を記憶する音声信号蓄積部１８および映像信号を記憶する映像信号蓄積部１９を含んで構成される。受信信号蓄積部１０は、たとえばバッファなどによって実現され、各信号を一時的に記憶する。受信信号蓄積部１０は、データ比較部２０から与えられる指令に基づいて、記憶している情報をデータ比較部２０に与える。
【００４２】
番組案内情報蓄積部１３は、記憶手段であって、デジタル放送の番組に関する情報を記憶する。デジタル放送には、電子番組ガイド（略称ＥＰＧ：Electronic Program Guide）機能が存在する。このＥＰＧは、番組を選択するという行為を補助するために放送局から提供されるサービスである。つまり操作者は、放送局から提供される前記サービスに基づいて、視聴および録画などの対象となる番組を、たとえばリモコンを用いてテレビジョンの画面を見つつ選択可能になっている。ＥＰＧ機能は、ＴＳ信号に含まれる番組配列情報によって伝送されるテキスト情報に基づいて実現され、番組案内情報蓄積部１３は、前記テキスト情報を記憶する。このテキスト情報には、番組案内情報が含まれている。番組案内情報には、チャンネル、開始時刻、継続時間、番組名、ジャンル情報、出演者、作者などが含まれている。
【００４３】
録画データ蓄積部６は、録画手段であって、たとえばハードディスクドライブ（Hard
Disk Drive；略称：ＨＤＤ）などの固定型の磁気記憶媒体を用いた手段およびデジタル多機能ディスク（Digital Versatile Disk；略称：ＤＶＤ）などの着脱可能な光記憶媒体を用いた手段によって実現される。録画データ蓄積部６には、復号処理部１７から与えられる音声信号と映像信号を含む番組情報が録画可能である。録画データ蓄積部６は、制御部２から与えられる指令に基づいて、指定された番組情報を録画する。録画データ蓄積部６に録画された番組情報は、制御部２の指令に基づいて、再生して音声再生部９および表示部８から出力可能である。
【００４４】
取得信号蓄積部１１は、情報取得手段であって、外部の環境情報、たとえば音声情報および映像情報などを取得し、取得した情報をデータ比較部２０に与える。取得信号蓄積部１１は、音声信号取得部２１および映像信号取得部２２を備える。音声信号取得部２１は、音声を取得する手段として機能するマイク２３と、マイク２３が取得した音声をマイク信号として記憶するマイク信号蓄積部２４とを含んで構成される。映像信号取得部２２は、映像を取得する手段として機能するカメラ２５と、カメラ２５が取得した映像をカメラ信号をして記憶するカメラ信号蓄積部２６とを含んで構成される。マイク信号蓄積部２４およびカメラ信号蓄積部２６は、たとえばバッファなどによって実現され、各信号を一時的に記憶する。取得信号蓄積部１１に記憶される信号は、受信信号蓄積部１０に記憶される信号と同じ記憶形式となるように記憶形式が変換されて記憶される。
【００４５】
データ比較部２０は、比較手段としての機能を有し、受信信号蓄積部１０および取得信号蓄積部１１から与えられる各信号を比較し、同一性を判断して、その比較結果を制御部２に与える。データ比較部２０は、制御部２によって制御され、各種設定条件、たとえば同一性の判断基準などが制御される。同一性とは、たとえば比較する信号の７０％以上が、予め定める期間、たとえば３秒〜５秒継続する場合に同一性が得られたと判断する。また同一性が得られた情報を、略同一の情報ということがある。
【００４６】
設定記憶部５は、記憶手段であって、制御部２が各種処理をするときに用いられる各種設定情報が記憶される。設定情報は、たとえばデータ比較部２０の同一性の判断基準、および比較結果などに基づく履歴情報である。また設定記憶部５には、操作者によって入力されるジャンル情報、つまりニュース、スポーツ、音楽およびドラマなどの番組の種類を示す情報が記憶される。
【００４７】
指示入力部７は、操作者によって操作されると、操作者の指令に応じた指令信号を出力し、この指令信号を制御部２に与えるように構成され、たとえばリモコンなどによって実現される。換言すれば、制御部２は、前記指示入力部７が操作されたと判断されると、そのスイッチに関連するプログラムを実行する。
【００４８】
メモリカード接続部１４は、記録媒体、たとえばフラッシュメモリなどの書換え可能な不揮発性メモリを備えるメモリカードを着脱自在にして接続可能である。メモリカード接続部１４にメモリカードを装着することによって接続され、制御部２の指令によって、メモリカードに記憶されている情報を読出したり、メモリカードに情報を記憶させたりする。メモリカードには、たとえば録画データ蓄積部６に記憶される番組情報、および設定記憶部５に記憶される設定情報および設定情報のうちの履歴情報が記憶される。
【００４９】
制御部２は、受信装置１の各構成部がそれぞれ所定の機能を実現するように、指示入力部７から与えられる指令などの、各構成部から与えられる指令に基づいて処理を行って、各構成部に制御指令を与えて制御し、たとえばマイクロコンピュータによって実現される。制御部２の行う主な制御には、次のようなものがある。
【００５０】
（ａ）受信されるデジタル放送波のチャンネルを変更するように受信部４を制御し、データ比較部２０によって受信信号と取得信号との比較結を比較して同一性が得られた場合、同一性が得られたちチャンネルの番組情報を出力するように表示部８および音声再生部９を制御する。
【００５１】
（ｂ）受信信号と取得信号とのいずれか一方の時間を予め定める時間ずらして、受信信号と取得信号とを比較するようにデータ比較部２０を制御する。
【００５２】
（ｃ）データ比較部２０によって各信号を比較しているとき、音声の出力を停止するように、音声再生部９を制御する。
【００５３】
（ｄ）同一性が得られた番組情報に関連する情報、たとえば同一性が得られたチャンネルの番組情報を録画するように録画データ蓄積部６を制御する。
【００５４】
（ｅ）受信信号と取得信号とが同一性が得えられ、受信信号がマルチ編成の場合、同一チャンネル内の別の番組情報を出力するように表示部８および音声再生部９を制御する。
【００５５】
次に、受信装置１の動作についてフローチャートを用いて説明する。各フローチャートの動作は、制御部２によって行われる。
【００５６】
図２は、受信装置１の制御部２による処理を示すフローチャートである。図３は、受信装置１の動作を説明するための図である。この処理は、たとえば他の受信装置３が本受信装置１と近接した位置に配置され、他の受信装置３が番組を出力している状態で、本受信装置１の電源投入状態において、操作者によってチャンネル認識操作を開始する操作が行われると実行される。
【００５７】
ステップａ１では、マイク２３によって外部の音声を取得する情報取得工程がなされた後、マイク２３によって取得されたマイク信号に基づいて、マイク信号と同様の音声信号を有するチャンネルを検索するチャンネル認識処理がなされ、ステップａ２に移る。ステップａ１では、マイク２３によって他の受信装置３が出力している番組Ａの音声が主に取得される。ステップａ２では、同様の音声信号を有するチャンネルが認識されたか否かを判断し、認識された場合、ステップａ３に移り、認識されていない場合、本フローを終了する。ステップａ３では、認識されたチャンネルを出力または録画するように各部を制御する出力工程がなされ、本フローを終了する。
【００５８】
このように他の受信装置３が出力している番組に基づくチャンネルを、いわば自動的に認識して、他の受信装置３が出力しているチャンネルと同一の放送局の番組情報を受信装置１が出力するように各部が制御される。図３に示すように、たとえば他の受信装置３が、マルチ放送されている３つの番組Ａ〜Ｃのうちの、番組Ａを出力している場合、受信装置１が番組Ａの音声を取得して番組Ａのチャンネルを認識し、番組Ａと同一の放送局である番組Ｂおよび番組Ｃを出力するように制御する。
【００５９】
図４は、受信装置１の制御部２によるチャンネル認識処理を示すフローチャートである。本フローは、図２におけるステップａ１に対応しており、図２においてステップａ１に移ると本フローが開始される。
【００６０】
ステップｂ１では、現時点の音声再生部９の音量Ｖ０を記録し、ステップｂ２に移る。ステップｂ２では、音声再生部９の音声の出力を停止、つまり、音量を０にし、ステップｂ３に移る。ステップｂ３では、受信装置１が受信可能なチャンネルの総数Ｌ１を設定記憶部５から読み出し、ステップｂ４に移る。
【００６１】
ステップｂ４では、増分値ｉに初期値０を代入し、最初のチャンネル番号Ｃｎを設定記憶部５から読み出し、ステップｂ５に移る。ステップｂ５では、増分値ｉがチャンネル総数Ｌ１より小さいか否かが判断され、小さい場合、ステップｂ６に移り、小さくない場合、ステップｂ７に移る。ステップｂ７では、すべてチャンネルの比較が終了しているので、音声再生部９の音量を、設定記憶部５に記憶される音量Ｖ０にして、本フローを終了する。
【００６２】
ステップｂ６では、チャンネル番号Ｃｎに基づいて、チャンネルを切り替えるようにチューナ１６を制御する受信工程がなされ、ステップｂ８に移る。ステップｂ８では、データ比較部２０によって、音声信号蓄積部１８から音声信号Ｐａ、およびマイク信号蓄積部２４からマイク信号Ｐｍを読み出して、ステップｂ９に移る。ステップｂ９では、音声信号とマイク信号との時間差を考慮して、音声信号とマイク信号とのいずれか一方の時間を予め定める時間ずらして、音声信号とマイク信号とを比較する比較工程がなされ、ステップｂ１０に移る。
【００６３】
ステップｂ１０では、データ比較部２０によって、音声信号とマイク信号と比較結果が、略同一の場合、ステップｂ１３に移り、略同一でない場合、ステップｂ１１に移る。ステップｂ１１では、増幅値ｉを１増加させ、ステップｂ１２に移る。ステップｂ１２では、チャンネル番号Ｃｎを次の番号に設定し、ステップｂ５に移る。
【００６４】
ステップｂ１３では、略同一であると判断されたチャンネル番号Ｃｎを確定チャンネル番号Ｓｃｎとして設定記憶部５が記憶し、ステップｂ１４に移る。ステップｂ１４では、音声再生部９の音量を、設定記憶部５に記憶される音量Ｖ０にして、本フローを終了する。
【００６５】
以上、図４に関連して説明したように、マイク２３が取得した音声に基づくマイク信号と、アンテナ１５が取得したデジタル放送波のチャンネルに基づく音声信号とを、チャンネル毎に順番に比較し、同一性を判断して、マイク信号と略同一の音声信号を含むチャンネルを確定チャンネル番号Ｓｃｎとして特定することができる。
【００６６】
図５は、受信装置１の制御部２による比較処理を示すフローチャートである。本フローは、図４におけるステップｂ９に対応しており、図４においてステップｂ９に移ると本フローが開始される。
【００６７】
ステップｃ１では、設定記憶部５に記憶される時間差データＴａを読み出し、ステップｃ２に移る。ステップｃ２では、設定記憶部５に記憶されるループ回数Ｌ０を読み出し、ステップｃ３に移る。ステップｃ３では、増幅値ｉに初期値０を代入し、累積時間データＴｐａに初期値０を代入し、ステップｃ４に移る。
【００６８】
ステップｃ４では、音声信号Ｐａの再生時間を取得時間から時間差データＴｐａ遅らせた音声データＤｐａを生成し、ステップｃ５に移る。ステップｃ５では、音声データＤｐａと、マイク信号Ｐｍとが同一性があるかどうか判断し、同一性がある場合、本フローを終了し、等しくない場合、ステップｃ６に移る。
【００６９】
ステップｃ６では、累積時間データＴｐａに時間差データＴａを加えて、累積時間データＴｐａを増加させて、ステップｃ７に移る。ステップｃ７では、増幅値ｉを１増加させ、ステップｃ８に移る。ステップｃ８では、増幅値ｉがループ回数Ｌ０より大きいか否かを判断し、大きくない場合、ステップｃ４に移り、大きい場合、ステップｃ９に移る。
【００７０】
ステップｃ９では、増幅値ｉに初期値０を代入し、累積時間データＴｐａに初期値０を代入し、ステップｃ１０に移る。ステップｃ１０では、音声信号Ｐａの再生時間を取得時間から時間差データＴｐａ早めた音声データＤｐａを生成し、ステップｃ１１に移る。ステップｃ１１では、音声データＤｐａと、マイク信号Ｐｍとが同一性があるかどうかを判断し、同一性がある場合、本フローを終了し、等しくない場合、ステップｃ１２に移る。
【００７１】
ステップｃ１２では、累積時間データＴｐａに時間差データＴａを加えて、累積時間データＴｐａを増加させて、ステップｃ１３に移る。ステップｃ１３では、増幅値ｉを１増加させ、ステップｃ１４に移る。ステップｃ１４では、増幅値ｉがループ回数Ｌ０より大きいか否かを判断し、大きくない場合、ステップｃ１０に移り、大きい場合、本フローを終了する。
【００７２】
以上、図５に関連して説明したように、予め定める時間Ｔａ、音声信号をマイク信号に対してずらして音声信号とマイク信号とを比較し、何回ずらして比較するかは、予め定めるループ回数Ｌ０によって決定される。マイク２３が取得した音声に基づくマイク信号と、アンテナ１５が取得したデジタル放送波のチャンネルに基づく音声信号とは、各信号の取得経路が異なるので、たとえ同一の信号でもあっても時間差（タイムラグ）に起因して、異なる信号であると判断されるおそれがあるが、本フローで説明したように、あえて時間差を与えて再生時間をずらすことによって、時間差に起因する前記問題を解決して、略同一の音声信号か否かを確実に判断することができる。
【００７３】
図６は、受信装置１の制御部２による比較結果処理を示すフローチャートである。本フローは、図２におけるステップａ３に対応しており、図２においてステップａ３に移ると本フローが開始される。
【００７４】
ステップｄ１では、設定記憶部５から第１設定値Ｓｍｏｄｅ０および第２設定値Ｓｍｏｄｅ１を読み出し、ステップｄ２に移る。第１設定値Ｓｍｏｄｅ０は、チャンネルの同期、または同期したチャンネルと同じ放送局の他のチャンネルの選択の、どちらを選択するかを決定する設定値である。第２設定値Ｓｍｏｄｅ１は、決定した番組に対して、表示する、または録画するかの、どちらを選択するかを決定する設定値である。これらの設定値は、操作者によって設定されている。
【００７５】
ステップｄ２では、第１設定値Ｓｍｏｄｅ０は、チャンネル同期のみの設定であるか否かを判断し、チャンネル同期のみの設定である場合、ステップｄ３に移り、チャンネル同期のみの設定でない場合、ステップｄ７に移る。ステップｄ３では、設定記憶部５に記憶される確定チャンネル番号Ｓｃｎを受信するように受信部４を制御し、ステップｄ５に移る。
【００７６】
ステップｄ５では、第２設定値Ｓｍｏｄｅ１がチャンネルに基づく番組を表示する設定であるか、否かを判断し、表示する設定である場合、ステップｄ５に移り、表示する設定でない場合、ステップｄ６に移る。ステップｄ５では、表示部８および音声再生部９が前記番組を出力し、本フローを終了する。ステップｄ６では、表示部８に番組を表示し、録画データ蓄積部６に前記番組を録画するように制御し、本フローを終了する。
【００７７】
ステップｄ７では、第１設定値Ｓｍｏｄｅ０がチャンネル同期のみの設定ではないので、確定チャンネル番号Ｓｃｎが含まれる番組案内情報Ｄｃｈを番組案内情報蓄積部１３から読み出し、ステップｄ８に移る。ステップｄ８では、番組案内情報Ｄｃｈに基づいて、マルチ放送であるか否かを判断し、マルチ放送である場合、ステップｄ９に移り、マルチ放送でない場合、ステップｄ３に移る。
【００７８】
ステップｄ９では、マルチ放送であるので、確定チャンネル番号Ｓｃｎのマルチ放送チャンネルＳｍｃｈを番組案内情報Ｄｃｈから読み出し、ステップｄ１０に移る。ステップｄ１０では、設定記憶部５に記憶されるマルチ放送チャンネル番号Ｓｍｃｈを受信するように受信部４を制御し、ステップｄ１１に移る。
【００７９】
ステップｄ１１では、第２設定値Ｓｍｏｄｅ１がチャンネルに基づく番組を表示する設定であるか、否かを判断し、表示する設定である場合、ステップｄ１２に移り、表示する設定でない場合、ステップｄ１３に移る。ステップｄ１２では、表示部８および音声再生部９が前記番組を出力し、本フローを終了する。ステップｄ１３では、表示部８に番組を表示し、録画データ蓄積部６に前記番組を録画するように制御し、本フローを終了する。
【００８０】
以上、図６に関連して説明したように、予め定める設定値に基づいて、認識したチャンネルと同じチャンネルを選択する、または、認識したチャンネルと同じ放送局の他のチャンネルを選択するのが決定される。また予め定める設定値に基づいて、チャンネル選択後の処理を、番組を表示するのか、または録画するのかが決定される。
【００８１】
以上説明したように、本実施の形態の受信装置１によれば、制御部２によって、受信される受信信号を変更するように受信部４が制御され、データ比較部２０によって受信信号と取得信号との比較結果が略同一の場合、略同一の受信信号に基づく番組を出力するように表示部８および音声再生部９が制御される。したがって取得信号と略同一の受信信号がある場合、その受信信号に関する番組を表示部８および音声再生部９によって、いわば自動的に出力させることができる。これによって操作者は、受信装置１が取得可能な取得信号を調節することによって、受信装置１が出力する番組を操作することができる。また本発明の受信装置１は、取得信号蓄積部１１を備えるだけで、たとえば他の受信装置３などが出力している番組に基づく取得信号を取得し、他の受信装置３が出力している番組と略同一の番組を本発明の受信装置１に出力させることができる。したがって、本発明の効果を達成するために、何ら特別な通信手段を用いることく、ソフト的な構成を変更するだけで実現することができる。これによって本発明を低コストで実現することができる。また他の受信装置３が、たとえば据え置き型で、本発明の受信装置１がたとえば携帯型である場合、据え置き型の受信装置１が出力している番組と、同じ番組を、何ら特別な操作をすることなく、自動的に携帯型の受信装置１に出力させることができるので、利便性が向上する。
【００８２】
また本実施の形態では、図６に関連して説明したように、制御部２は、受信信号と取得信号とが略同一であって、受信信号がマルチ放送に基づく情報である場合、前記略同一の受信信号のマルチ編成の、他の受信信号に基づく番組を出力するように表示部８および音声再生部９を制御する。したがって表示部８および音声再生部９は、取得信号とは同一の放送局であって、マルチ編成されている番組を、いわば自動的に出力する。これによって操作者は、受信装置１が出力する番組を、取得信号の放送局と同一の放送局に自動的に変更させることができ、利便性が向上する。
【００８３】
さらに本実施の形態では、制御部２は、略同一の受信信号に関連する情報、たとえば番組情報を記憶するように録画データ蓄積部６を制御する。したがって録画データ蓄積部６は、いわば自動的に、取得信号と略同一の受信信号に関連する番組情報を記憶するように制御される。これによって操作者は、何ら特別な操作をすることなく、受信装置１に取得信号と略同一の番組情報を記憶させることができ、利便性が向上する。
【００８４】
さらに本実施の形態では、図５に関連して説明したように、制御部２は、取得信号と受信信号とのいずれか一方の時間を予め定める時間ずらして、取得信号と受信信号とを比較するようにデータ比較部２０を制御する。取得信号と受信信号とに時間のずれが生じることがあるが、時間をずらして比較することによって、時間がずれている取得信号と受信信号とであっても、同一性を比較して、略同一であるか否かを判断することができる。これによってデータ比較部２０は、より高精度に取得信号と受信信号とを比較することができる。
【００８５】
さらに本実施の形態では、図４に関連して説明したように、データ比較部２０によって比較しているとき、音声出力手段は音声の出力を停止するように制御されるので、スピーカによって出力される音声がノイズとなって、マイク２３に取得されることを防ぐことができる。したがってデータ比較部２０は、スピーカから出力される音声を確実に停止した状態で、比較することができ比較精度を向上することができる。
【００８６】
さらに本実施の形態では、履歴情報は、着脱自在なメモリカードなどの記憶媒体に記憶されるので、操作者は、本発明の受信装置１の履歴情報を他の装置に利用することができる。これによって他の装置でも、受信装置１の履歴情報に基づいて、好適に動作させることができる。
【００８７】
前述の実施の形態では、音声信号を比較する受信装置１に関して説明したが、環境情報として音声信号に限らず、カメラ２５によって取得されるカメラ信号と映像信号を比較するように構成してもよい。
【００８８】
また前述の実施の形態では、情報取得手段は、カメラ２５およびマイク２３によって実現されているが、これに限ることはなく、たとえば他の受信装置３と有線または無線を用いて通信可能に構成し、他の受信装置３が出力する音声および映像を取得するように構成してもよい。
【００８９】
また前述の実施の形態では、チャンネル認識処理によって認識されたチャンネルに基づく番組を表示または記録するように制御されるが、これに限ることはなく、たとえば認識されたチャンネルに基づいて、同じジャンルの番組を出力するように構成してもよい。たとえば認識された番組が野球番組である場合、他の野球番組、または他のスポーツの番組を出力するように制御してもよい。このように制御することによって、操作者は、複数の受信装置を用いている場合、複数の受信装置のうちの１つの受信装置のチャンネルを選択することによって、いわば自動的に、残余の受信装置１が出力するチャンネルを操作者の設定によって制御することができる。これによって操作者は、複数の受信装置１が出力する番組をわざわざ調節することなく、所望の番組を視聴することができ、利便性が向上する。
【００９０】
またたとえば、認識されたチャンネルに基づく番組の番組案内情報を用いて、番組案内情報に含まれる出演者をキーワードとして、その出演者が出演している他の番組を検索するように構成してもよい。これによって利便性が向上する。
【００９１】
また前述の実施の形態において、データ比較部２０によって各信号を比較する場合、毎回、図５に関連して説明した時間のずれなどを補正する処理を行っているが、毎回同じ処理をする必要はなく、記憶部５に記憶されるデータ比較部２０による比較結果に基づく履歴情報を記憶に基づいて、各構成要素を制御するように構成してもよい。これによって制御部２は、履歴情報に基づいて、過去の制御状態から好適な制御状態を再現することができる。したがって制御部２は、無駄な処理をすることなく、円滑に処理することができる。
【００９２】
具体的には、制御部２は、たとえば設定記憶部５に記憶される履歴情報に基づいて、比較するチャンネルの順位を決定するようにデータ比較部２０を制御するように構成してもよい。履歴情報に記憶される過去の比較した順位に基づいて、比較する順位を決定することによって、短時間で略同一のチャンネルを検索することができる。これによってより短時間で、略同一の放送情報を表示部８および音声再生部９に出力させることができる。
【００９３】
またたとえば制御部２は、設定記憶部５に記憶される履歴情報に基づいて、取得信号と受信信号とのいずれか一方の時間をずらす時間を決定するようにデータ比較部２０を制御するように構成してもよい。過去に比較した環境と同様の環境に受信装置１が配置されている場合、取得信号と受信信号との時間のずれは過去に比較した場合と略等しい可能性が大きいので、履歴情報に基づいて、ずらす時間を決定することによって、より短時間で略同一の放送情報を検索することができる。これによってより短時間で、略同一の放送情報を表示部８および音声再生部９に出力させることができる。
【００９４】
また前述の実施の形態において、データ比較部２０は、操作者の指令に基づいてデータの比較を開始しているが、これに限ることはなく、定期的に取得信号と受信信号とを比較するように構成してもよい。たとえば、制御部２は、データ比較部２０による定期的な比較結果によって、取得信号と受信信号とが異なる場合に、受信される放送情報を変更し、取得信号と受信信号とが略同一の場合、略同一の受信信号に基づく番組を出力するように表示部８および音声再生部９を制御する。これによって定期的に、取得信号と受信信号とが略同一となるように、表示部８および音声再生部９が制御される。したがって取得信号が変化した場合、たとえば他の受信装置３が出力している番組が変更された場合であっても、いわば自動的に変更後の取得信号と略同一の受信信号を、表示部８および音声再生部９に出力させることができる。したがって操作者は、何ら操作することなく、いわば自動的に、取得信号に追従して、略同一の受信信号を表示部８および音声再生部９に出力させることができる。
【００９５】
また前述の実施の形態において、マイク信号取得部は、マイク２３によって取得された音声信号を何ら加工することなく、データ比較部２０に与える構成であるが、このような構成に限ることはなく、音声信号取得部２１は、特定の音声周波数の音声を取得するようにフィルタ機能を含むように構成してもよい。これによって他の受信装置３が出力している音声とは関連のない肉声などの音声信号を取り除いた音声信号を取得することができる。したがって音声取得部は、可及的に他の受信装置３が出力する音声信号だけを取得することができるので、データ比較部２０の比較精度を向上することができる。
【図面の簡単な説明】
【００９６】
【図１】本発明の実施の一形態の受信装置１の電気的構成を示すブロック図である。
【図２】受信装置１の制御部２による処理を示すフローチャートである。
【図３】受信装置１の動作を説明するための図である。
【図４】受信装置１の制御部２によるチャンネル認識処理を示すフローチャートである。
【図５】受信装置１の制御部２による比較処理を示すフローチャートである。
【図６】受信装置１の制御部２による比較結果処理を示すフローチャートである。
【符号の説明】
【００９７】
１  受信装置
２  制御部
４  受信部
５  設定記憶部
６  録画データ蓄積部
８  表示部
９  音声再生部
１０  受信信号蓄積部
１１  取得信号蓄積部
１３  番組案内情報蓄積部
１８  音声信号蓄積部
２０  データ比較部
【図１】
2007068042.tif 000003
【図２】
2007068042.tif 000004
【図３】
2007068042.tif 000005
【図４】
2007068042.tif 000006
【図５】
2007068042.tif 000007
【図６】
2007068042.tif 000008